【手続補正書】
【提出日】平成17年6月8日(2005.6.8)
【手続補正１】
【補正対象書類名】特許請求の範囲
【補正対象項目名】全文
【補正方法】変更
【補正の内容】
【特許請求の範囲】
【請求項１】
データ信号をパワーラインの位相ラインへ結合するための誘導結合器において、
第１のセクションと第２のセクションとにより形成される貫通孔を有するスプリット磁気コアを具備し、
前記貫通孔は前記位相ラインが一次巻線としてそこを通過することを許容し、
前記第１のセクションは前記位相ラインの外部表面と電気接触を形成し、
前記第２のセクションは前記第１のセクションと電気接触を形成している誘導結合器。
【請求項２】
さらに、二次巻線として前記貫通孔を通過し、パワー周波数に対して低インピーダンス路を接地電位へ提供する巻線を有する二次回路を具備している請求項１記載の誘導結合器。
【請求項３】
前記二次回路は保護装置がパワーライン故障電流を遮断するのに必要な時間を超える期間だけ前記パワーライン故障電流に耐える導体を具備している請求項２記載の誘導結合器。
【請求項４】
前記低インピーダンス路は前記接地電位へ接続される中心タップを有するチョークを含んでいる請求項２記載の誘導結合器。
【請求項５】
さらに（ａ）三次巻線として前記貫通孔を通過する巻線と、（ｂ）前記三次巻線に接続されているチョークとを有する磁束を消去するための回路を具備し、
磁束を消去するための前記回路は前記位相ラインの一次電流の方向と反対方向で流れる誘導により生成された電流を有している請求項２記載の誘導結合器。
【請求項６】
前記貫通孔内で、前記三次巻線は絶縁されていない導体を具備している請求項５記載の誘導結合器。
【請求項７】
前記三次巻線は前記位相ラインの前記外部表面と電気接触を形成している請求項５記載の誘導結合器。
【請求項８】
前記チョークは磁気コアを含んでいる請求項５記載の誘導結合器。
【請求項９】
さらに（ａ）三次巻線として前記貫通孔を通過する巻線と、（ｂ）前記三次巻線に接続されるチョークとを有する磁束を消去するための回路を具備し、
前記第１および第２のセクションは前記三次巻線に誘導により生成された電流を制限するような起磁力のレベルで飽和する材料を含んでいる請求項２記載の誘導結合器。
【請求項１０】
さらに、二次巻線として前記貫通孔を通過する巻線を有する二次回路を具備し、
前記二次巻線は前記第２のセクションの内部直径の約２５％以上である断面寸法を有する外形を有している請求項１記載の誘導結合器。
【請求項１１】
前記スプリット磁気コアは前記位相ラインに垂直で形状が丸くされた端面を有し、それによって前記スプリット磁気コアと前記位相ラインとの間に漸進的に増加する放射状の間隔を与えている請求項１記載の誘導結合器。
【請求項１２】
前記第１および第２のセクションは対向する磁極面を有し、１つの前記磁極面から突出するピンと、他方の前記磁極面の前記ピンを受ける凹部を有している請求項１記載の誘導結合器。
【請求項１３】
さらに、前記第１と第２のセクションの間にギャップ材料を有し、
前記第１または第２のセクションの一方が前記ギャップ材料に突出し前記ギャップ材料の位置を安定させているピンを具備している請求項１記載の誘導結合器。
【請求項１４】
前記ギャップ材料は導電性である請求項１３記載の誘導結合器。
【請求項１５】
さらに、（ａ）絶縁体に埋設され、二次巻線として前記貫通孔を通過する巻線と、（ｂ）前記二次巻線に接続されたチョークとを有する磁束を消去するための回路を具備し、
前記二次巻線は前記導体がパワー周波数電流を導くとき前記絶縁体に対する熱損傷を阻止するのに十分な大きさの断面積を有する導体を含んでいる請求項１記載の誘導結合器。
【請求項１６】
前記チョークは磁気コアを含んでいる請求項１５記載の誘導結合器。
【請求項１７】
さらに、（ａ）絶縁体に埋設され、二次巻線として前記貫通孔を通過する巻線と、（ｂ）前記二次巻線に接続されたチョークとを有する磁束を消去するための回路を具備し、
前記第１および第２のセクションは前記二次巻線で誘導により生成される電流を制限するような起磁力のレベルで飽和する材料を含んでいる請求項１記載の誘導結合器。
【請求項１８】
さらに前記誘導結合器を保持するためのループを具備している請求項１記載の誘導結合器。
【請求項１９】
前記第１および第２のセクションは導電性被膜によって被覆されている請求項１記載の誘導結合器。
【請求項２０】
さらに、前記第１のセクションと電気接触し、前記位相ラインの前記外部表面との電気接触を行うための弾性の導電体を具備している請求項１記載の誘導結合器。
【請求項２１】
データ信号をパワーラインの位相ラインへ結合するための誘導結合器において、
第１のセクションと第２のセクションにより形成され、前記位相ラインが一次巻線としてそこを通過することを許容する貫通孔を有しているスプリット磁気コアと、
二次巻線として前記貫通孔を通過し、パワー周波数の低インピーダンス路を接地電位へ提供する巻線を有する二次回路とを具備している誘導結合器。
【請求項２２】
前記低インピーダンス路は前記接地電位へ接続された中心タップを有するチョークを含んでいる請求項２１記載の誘導結合器。
【請求項２３】
前記二次回路は保護装置がパワーライン故障電流を遮断するのに必要な時間を超える期間だけ前記パワーライン故障電流に耐える導体を具備している請求項２２記載の誘導結合器。
【請求項２４】
さらに（ａ）三次巻線として前記貫通孔を通過する巻線と、（ｂ）前記三次巻線に接続されるチョークとを有する磁束を消去するための回路を具備し、
磁束を消去するための前記回路は前記位相ラインの一次電流の方向と反対方向で流れるそこに誘導により生成された電流を有する請求項２１記載の誘導結合器。
【請求項２５】
前記貫通孔内で、前記三次巻線は絶縁されていない導体を具備している請求項２４記載の誘導結合器。
【請求項２６】
前記三次巻線は前記位相ラインの前記外部表面と電気接触を形成している請求項２４記載の誘導結合器。
【請求項２７】
前記チョークは磁気コアを含んでいる請求項２４記載の誘導結合器。
【請求項２８】
さらに（ａ）三次巻線として前記貫通孔を通過する巻線と、（ｂ）前記三次巻線に接続されるチョークとを有する磁束を消去するための回路を具備し、
前記第１および第２のセクションは前記三次巻線中に誘導により生成された電流を制限するような起磁力のレベルで飽和する材料を含んでいる請求項２１記載の誘導結合器。
【請求項２９】
前記第１および第２のセクションは対向する磁極面を有し、１つの前記磁極面から突出するピンと、他方の前記磁極面の前記ピンを受ける凹部を有する請求項２１記載の誘導結合器。
【請求項３０】
さらに、前記第１と第２のセクションの間にギャップ材料を有し、
前記第１または第２のセクションの一方が前記ギャップ材料に突出し前記ギャップ材料の位置を安定させているピンを備えている請求項２１記載の誘導結合器。
【請求項３１】
さらに、前記二次巻線に接続されたチョークを有する磁束を消去するための回路を具備し、
前記貫通孔内の前記二次巻線は絶縁体に埋設され、前記導体がパワー周波数電流を導くとき前記絶縁体に対する熱損傷を阻止するのに十分な大きさの断面積を有する導体を含んでいる請求項２１記載の誘導結合器。
【請求項３２】
前記チョークは磁気コアを含んでいる請求項３１記載の誘導結合器。
【請求項３３】
さらに、前記二次巻線に接続されたチョークを有する磁束を消去するための回路を具備し、
前記二次巻線は前記貫通孔内で絶縁体に埋設され、
前記第１および第２のセクションは前記二次巻線中で誘導で生成される電流を制限するための起磁力のレベルで飽和する材料を含んでいる請求項２１記載の誘導結合器。
【請求項３４】
さらに、前記誘導結合器を保持するためのループを具備している請求項２１記載の誘導結合器。
【請求項３５】
平面上に前記磁気コアセクションの磁極面を位置付ける一方で、二次巻線にわたって磁気コアセクションを位置させることを含んでおり、
前記二次巻線は前記平面と磁気コアセクション間に形成された貫通孔を通って導かれ、絶縁材料を前記貫通孔へ注入する方法。
【請求項３６】
さらに、前記位置させる前に、複数のコアセクションコンポーネントの磁極面が同一平面であるように前記磁気コアセクションを形成するために前記複数のコアセクションコンポーネントを共に結合する請求項３５記載の方法。